(57)【要約】【課題】多くの人々が投稿した感情の状態を地図上における各人の所在位置に合わせて表示して閲覧に供するソーシャルメディアを実現する。【解決手段】スマートフォンやタブレット端末など、利用者が携帯し、位置情報を発信できる携帯端末を用いた情報通信システムにより、できるだけ多くの人からいま居る場所でいま抱いている感情がどのようなものなのかを自己申告してもらい、それらの人々の所在位置を地図上にプロットするとともに、その地図上から自己申告された感情の内容を読みとれるようにして閲覧に供するソーシャルメディアを構築した。【選択図】図４
2018139026.tif 000002
【特許請求の範囲】
【請求項１】
つぎの事項（１）〜（９）により特定される方法。
（１）複数の人々がそれぞれ所持して操作する複数の携帯端末と、これら携帯端末と個別に通信するネットワーク上のサーバーとによって実施される分散コンピューティングの方法であること
（２）携帯端末は、利用者入力に応じて、感情入力画面を表示すること
（３）感情入力画面は、感情の楽観・悲観の度合いを表す要素と、感情の高揚・冷静の度合いを表す要素とについて、利用者の感情状態の入力を促す画面であること
（４）携帯端末は、感情入力画面において利用者が感情状態の入力をした際、その入力情報に基づいて、前記２つの要素を含んだ感情状態ベクトルデータを生成すること
（５）携帯端末は、生成した感情状態ベクトルデータと、タイムスタンプと、当該携帯端末の現在位置を示す端末位置データと、投稿ＩＤとを対応づけした投稿レコードを生成し、サーバーに送信すること
（６）サーバーは、携帯端末からの投稿レコードを受信して投稿データベースに集約すること
（７）サーバーは、携帯端末から閲覧要求を受信した際、投稿データベースの投稿レコードに基づいて感情マップを生成して当該携帯端末にて表示するように送信すること
（８）携帯端末に表示される感情マップは、広域モードでは、ある地域の地図上に投稿レコード中の端末位置データをポインティングした投稿印を表示すること
（９）携帯端末に表示される感情マップは、拡大モードでは、地図上の投稿印に対応する投稿レコード中の感情状態ベクトルデータに応じて視覚表現が異なる感情表象を表示すること
【請求項２】
つぎの事項（10）により特定される請求項１に記載の方法。
（10）携帯端末に表示される感情表象は、感情状態ベクトルデータに応じて色調が変化すること
【請求項３】
つぎの事項（11）により特定される請求項２に記載の方法。
（11）携帯端末に表示される感情表象は、感情状態ベクトルデータに応じて図柄が変化すること
【請求項４】
つぎの事項（12）により特定される請求項２に記載の方法。
（12）携帯端末に表示される感情表象は、感情状態ベクトルデータに応じて図柄が変化するとともにその図柄の大きさが変化すること
【請求項５】
つぎの事項（13）により特定される請求項１に記載の方法。
（13）携帯端末に表示される感情マップは、表示対象地域に該当する投稿レコード集合からタイムスタンプに基づいて選出された最新の所定数の投稿レコードに対応する投稿印を地図上に表示すること
【請求項６】
つぎの事項（14）（15）（16）により特定される請求項１に記載の方法。
（14）感情入力画面は、利用者の感情状態の入力とともにコメント文字列の入力を促す画面であること
（15）携帯端末は、感情入力画面での利用者入力に基づいて、感情状態ベクトルデータと、コメント文字列と、タイムスタンプと、当該携帯端末の現在位置を示す端末位置データと、投稿ＩＤを対応づけした投稿レコードを生成し、サーバーに送信すること
（16）携帯端末に表示される感情マップは、詳細モードでは、地図上の感情表象に対応づけて、該当する投稿レコード中のコメント文字列を表示すること
【請求項７】
つぎの事項（17）（18）（19）により特定される請求項６に記載の方法。
（17）携帯端末は、感情表象に付加表示したコメント文字列に共感ボタンを付加表示し、この共感ボタンに対する利用者入力があった際、その共感入力事象を投稿ＩＤを特定してサーバーに通知すること
（18）サーバーは、携帯端末から通知される共感入力事象を投稿ＩＤ別に計数した投稿別共感数を算出し、投稿別共感数を含んだ感情マップの情報を閲覧者の携帯端末に送信すること
（19）携帯端末は、感情マップの詳細モードの表示時に、各投稿レコードごとのコメント文字列に該当する共感数を表示すること
【請求項８】
つぎの事項（20）（21）により特定される請求項１に記載の方法。
（20）携帯端末は、閲覧要求の利用者入力を受け付ける場面において、感情状態ベクトルデータがとり得る全データ範囲の中の一部のデータ範囲を指定する範囲指定情報を入力可能であり、範囲指定情報が入力された場合にはこれを閲覧要求に含めてサーバーに送信すること
（21）サーバーは、携帯端末からの閲覧要求に範囲指定情報が含まれている場合、投稿データベース中の範囲指定情報に該当する投稿レコードにのみ基づいてと感情マップを生成すること
【請求項９】
つぎの事項（22）（23）により特定される請求項１に記載の方法。
（22）携帯端末からサーバーに送信される投稿レコードは、投稿者のアカウントを特定する個人ＩＤを含んでおり、個人ＩＤ付き投稿レコードが投稿データベースに集約されていること
（23）サーバーは、個人ＩＤと個人属性情報とを対応づけて集約した登録者データベースを備えていること
【請求項１０】
つぎの事項（24）（25）により特定される請求項９に記載の方法。
（24）携帯端末は、閲覧要求の利用者入力を受け付ける場面において、個人属性情報による属性絞り込み情報を入力可能であり、属性絞り込み情報が入力された場合にはこれを閲覧要求に含めてサーバーに送信すること
（25）サーバーは、携帯端末からの閲覧要求に属性絞り込み情報が含まれている場合、登録者データベース中の属性絞り込み情報に該当する個人ＩＤの集合を抽出し、それら個人ＩＤに該当する投稿レコードにのみ基づいてと感情マップを生成すること
【請求項１１】
つぎの事項（26）（27）により特定される請求項９に記載の方法。
（26）携帯端末は、閲覧要求の利用者入力を受け付ける場面において、自分がした投稿のみを対象とする自分指定情報を入力可能であり、自分指定情報が入力された場合にはこれを閲覧要求に含めて個人ＩＤとともにサーバーに送信すること
（27）サーバーは、携帯端末からの閲覧要求に自分指定情報が含まれている場合、投稿データベース中の該当する個人ＩＤの投稿レコードにのみ基づいてと感情マップを生成すること
【請求項１２】
つぎの事項（28）により特定される請求項９に記載の方法。
（28）サーバーは、投稿データベースの記録に基づいて、特定の地域において特定の時間帯において特定の感情状態ベクトルデータの投稿レコードが集中しているか否かを所定アルゴリズムで分析し、当該集中事象を検出した場合、集中した投稿レコード中のタイムスタンプの古い投稿をした人の個人ＩＤを特定すること
【請求項１３】
つぎの事項（29）により特定される請求項１に記載の方法。
（29）感情入力画面は、直交する楽観悲観軸と高揚冷静軸の直交座標上に利用者の感情状態をポインティングするように構成された画面であること
【請求項１４】
つぎの事項（30）により特定される請求項１にに記載の方法。
（30）携帯端末に表示される感情表象は、該当する投稿レコード中のタイムスタンプに基づいて、古い投稿による感情表象ほど目立たないように表示されること
【請求項１５】
請求項１〜１４のいずれかに記載の分散コンピューティングの方法を実施するようにプログラムされたサーバー。
【請求項１６】
請求項１〜１４のいずれかに記載の分散コンピューティングの方法を実施するように携帯端末にインストールされるアプリケーションプログラム。
【発明の詳細な説明】
【技術分野】
【０００１】
この発明は、特定アプリをインストールした携帯端末（スマートフォン、タブレット型やノート型のパソコン、ゲーム機など）を用いてネットワーク上の特定サイトにアクセスすることで利用可能となるソーシャルメディアに関し、とくに、多くの人々が投稿した感情の状態を地図上における各人の所在位置に合わせて表示して閲覧に供するソーシャルメディアを実現するためのコンピューティング技術に関する。
【背景技術】
【０００２】
周知のようにインターネット上においては、電子掲示板や、ブログ、ウィキ、ポッドキャスト、ソーシャルブックマーク、 ソーシャル・ネットワーキング・サービス、画像や動画の共有サイト、アマゾンなどの通販サイトのカスタマーレビューなど、多彩な形態をした多彩な機能を盛り込んだ数多くのソーシャルメディアが存在しており、世界中の多くの人々に活発に利用されている。
【０００３】
以下に詳述するこの発明に係るソーシャルメディアと同様に、地図上に投稿者の位置情報をポインティングするとともに投稿内容を表示するという形態をした種々のソーシャルメディアも知られている。その典型例が株式会社ウエザーニュースが運営するウエザーリポートＣｈ（https://weathernews.jp/report/）である。
【０００４】
周知のように、ウエザーリポートＣｈでは、全国の数百万人のウエザーリポーター（投稿者）が自分のスマートフォンやタブレット端末によりウエザーリポートＣｈサイト（文脈によりサーバーとも記す）に随時にアクセスし、端末画面に表示されるレポートフオームに従って自分のいま居る場所の天気状況や寒暑などの体感情報を入力して投稿すると、その投稿内容（リポート内容）と、携帯端末の現在位置を示す端末位置情報と、タイムスタンプを含んだ投稿レコードが携帯端末からサーバーに送信される。
【０００５】
ウエザーリポートＣｈのサーバーは、リポーターからの投稿レコードをデータベースに集約するとともに、リポートの存在とリポート内容を地図上に付加して閲覧者に見せるための処理を実行するプログラムを備えている。
【０００６】
サーバーは、利用者の携帯端末やパソコンからウエザーリポートマップの閲覧要求を受信すると、地図上の投稿地点に合わせて晴れ・曇り・雨などを識別可能な投稿印を付加したマップを作成して閲覧者の端末画面に表示させる。閲覧者が表示された投稿印の１つをポインティングすると、投稿者の位置、投稿者が入力した短文、投稿時タイムスタンプが吹き出し中にテキストで表示される。閲覧者は自分の見たい地域のウエザーリポートマップを選択して投稿内容をチェックし、たとえば「あそこはいま風雨が強いので行くのは止めよう」などと自分の行動に結びつけることができる。
【０００７】
前述したウエザーリポートＣｈのようなソーシャルメディアは世界中の多くの人々に活発に利用されており、各ソーシャルメディアの機能・ＵＸデザイン・ＵＩデザインの仕様についても多くの人々によく知られている。
【０００８】
また、前記のような周知慣用のソーシャルメディアのシステム構築に関わっている数多くのコンピューティング技術者は、この種のソーシャルメディアを成立させるデータベース管理システムや地図情報システムやＷｅｂシステムなどが前提としているハードウエア基盤について基礎的知識を当然に有しており、その上でシステム構築に必要となるソフトウエアの開発環境および開発手法についての必要十分な知識を当然に有している。
【０００９】
以上のことから、本書面においては、無用な冗長性を避けるため、ソーシャルメディアのシステム構築の前提となる周知慣用のコンピューティング環境に関する当業者に自明の技術事項についてはできるだけ説明を省略し、この発明の核心部分に関わる事項について必要に応じて説明することとする。
【発明の概要】
【００１０】
たとえば、通勤途中の電車の中や友人との会食など、日々の生活の場面場面において私たちはさまざまな体験をする。私たちはそうした幾多の体験を通して、喜怒哀楽など、さまざまな感情が時々刻々と惹起され、たがいの感情が影響しあうこともある。
【００１１】
この出願の発明者は、スマートフォンやタブレット端末など、利用者が携帯し、位置情報を発信できる携帯端末を用いた情報通信システムにより、できるだけ多くの人からいま居る場所でいま抱いている感情がどのようなものなのかを自己申告してもらい、それらの人々の所在位置を地図上にプロットするとともに、その地図上から自己申告された感情の内容を読みとれるようにして閲覧に供するソーシャルメディアを構築すれば、社会的に有意義なサービスとなり得ると確信し、この発明を創作した。
【００１２】
たとえば、このサービスの閲覧者の立場の者が、「あのお店のまわりには美味しいと喜んでいる人が多いので自分も行ってみよう」とか、「この電車はいま不機嫌な人が多そうなので避けよう」といったように、閲覧内容から情報を察知して自分の行動に結びつけることができる。
【図面の簡単な説明】
【００１３】
【図１】一実施例システムの全体的な概要
【図２】一実施例システムにおける投稿プロセスと閲覧プロセスの概要
【図３】一実施例システムにおける閲覧プロセスの詳細
【図４】一実施例システムにおける感情状態の表現方法の説明
【発明を実施する形態】
【００１４】
＝＝＝ソーシャルメディアのシステム概要＝＝＝
図１にこの発明の一実施例に係るシステムの全体的な概要を示している。たとえば出願人のような事業会社が所定のサーバープログラムを搭載したサーバー（本サーバーとする）を運用し、この発明のソーシャルメディアの中枢として機能させる。本サーバーは、たとえばグーグル社が提供する地図情報システムと通信し、以下に説明する感情マップの元になる地図情報をＡＰＩにより取得して利用する。
【００１５】
本サーバーを運用する事業者は、本サーバーが提供するソーシャルメディアのサービスを利用するためのアプリケーションプログラム（本アプリとする）を制作し、たとえばアプリストア（AppStoreやGooglePlayなど）を通じて利用者に提供する。
【００１６】
一実施例としては、利用者は、アプリストアからダウンロードした本アプリを自分の携帯端末にインストールし、本アプリを起動して本サーバーにアクセスして利用登録をすることで、本ソーシャルメディアを利用することができる。なお利用登録なしで利用できるようにしてもよい。なお、利用者の携帯端末はＧＰＳによる位置情報の検知機能を備えている。
【００１７】
＝＝＝投稿および閲覧の準備＝＝＝
図２に本ソーシャルメディアの利用方法の全体的な概要を示している。携帯端末で本アプリを起動して本サーバーにアクセスすると、端末画面に図２に示すような立ち上げ画面が表示される。はじめての利用者は利用者登録画面に進め、所要事項（ニックネーム・パスワード・性別・生年月日）を記入して登録する。これで、感情入力画面に進んで投稿者として振る舞ったり、閲覧画面に進んで閲覧者として振る舞うことができる。
【００１８】
＝＝＝感情状態の表現方法＝＝＝
感情入力画面は、感情の楽観・悲観の度合いを表す要素と、感情の高揚・冷静の度合いを表す要素とについて、利用者の感情状態の入力を促す画面であり、またコメント文字列を入力することも可能である。
【００１９】
人間はさまざまな体験に反応して心理状態が変化するところ、その心理状態の主観的な側面が感情である。人間が抱くさまざまな感情を客観的に統一的に捉えて言語表現することは容易ではないが、喜怒哀楽と称される感情の分類は多くの人の共通認識となって居るであろう。
【００２０】
この発明のソーシャルメディアは、自分の抱いた感情を端的に表現して他人に伝えることを核心としている。投稿者は、いま居る場所でいま抱いている感情がどのようなものなのかを発信するところ、その際、感情の楽観・悲観の度合いを表す要素と、感情の高揚・冷静の度合いを表す要素とについて入力する。
【００２１】
図５は感情状態を入力する画面の具体的な一例を示している。この例では、感情の楽観・悲観の度合いを横軸とし、感情の高揚・冷静の度合いを縦軸とした直交座標を画面に設定し、投稿者の感情の状態に応じて直交座標上の任意の点をポインティングすることで感情状態を入力する方式をプログラムしている。
【００２２】
投稿者が現況に楽観しているとか、現況を積極的に受け入れることができるとか、現況を肯定的に捉えることができると感じている場合に、その度合いに応じて横軸の楽観値が大きくなるように入力してもらう。反対に、投稿者が現況に悲観しているとか、現況を受け入れるのに消極的であるとか、現況を否定的に捉えていると感じる場合に、その度合いに応じて横軸の悲観値が大きくなるように入力してもらう。
【００２３】
投稿者が興奮しているとか気持が高ぶっているとか、落ち着いた判断をしにくいと感じている場合に、その度合いに応じて縦軸の高揚値が大きくなるように入力してもらう。反対に、投稿者が落ち着いた気分で物事を見れているとか、落ち着いて客観的な判断ができそうだと感じている場合に、その度合いに応じて縦軸の冷静値が大きくなるように入力してもらう。
【００２４】
図５の直交座標において、第１象限は楽観値と高揚値が大きい領域であり、喜怒哀楽の「喜」に該当する領域である。第２象限は悲観値と高揚値が大きい領域であり、喜怒哀楽の「怒」に該当する領域である。第３象限は悲観値と冷静値が大きい領域であり、喜怒哀楽の「哀」に該当する領域である。第４象限は楽観値と冷静値の大きい領域であり、喜怒哀楽の「楽」に該当する領域である。
【００２５】
図５の座標上に投稿者のポインティング入力があった際、携帯端末の本アプリは、その位置を所定の分解能で特定したデータ（横軸値Ｘ、縦軸値Ｙ）を生成する。このデータのことを感情状態ベクトルデータとする。
【００２６】
具体例として、横軸縦軸ともに（−３、−２、−１、０、＋１、＋２、＋３）の７点中のいずれか１点をとるものとすると、図５の平面座標上のポインティング位置が４９点のいずれか１点に該当する感情状態ベクトルデータに変換される。このように一実施例においては、便宜上、横軸・縦軸の値を各７点に量子化しているところ、これに限定するものではない。
【００２７】
＝＝＝感情表象（感情アイコン）＝＝＝
また図５に示す座標上においては、前記４９点中の典型的な９点の位置に対応して、顔を模したシンプルな感情表象（感情アイコン）を描いている。これらアイコンは、３種類の「目」と３種類の「口」とを組み合わせた図柄の異なる９個のアイコンである。これらアイコンの顔の表情は、前述した喜怒哀楽・楽観悲観・高揚冷静の感情要素に適合するように工夫してデザインしたものである。図示された９点のほかの４０点についても、ベクトルデータの意味内容と図柄とを適切に対応させるようにして、前記９種類のアイコンのいずれかを割り当ててある。
【００２８】
一実施例においては、つぎの文献を参考にして、図５の座標上の４９点に対応づけされる９種類の図柄の４９個のアイコンをその表示色によっても意味内容を識別できるようにした。
「色彩と感情について」島根大学教育学部紀要 第28巻35頁〜50頁
（http://www.lib.shimane-u.ac.jp/kiyo/b002/002800/k005.pdf）
【００２９】
「喜」に対応するベクトルデータ（３、３）のアイコンは黄、「怒」に対応するベクトルデータ（−３、３）のアイコンは赤、「哀」に対応するベクトルデータ（−３、−３）のアイコンは青、「楽」に対応するベクトルデータ（３、−３）のアイコンは緑、原点（０、０）のアイコンは白とした。そして、その他のアイコンの色は、図５の座標上のアイコン配列において前記の黄、赤、青、緑、白の色彩が滑らかな変化になるように選択して設定してある。
【００３０】
＝＝＝投稿レコードおよび投稿データベース＝＝＝
自分の感情状態を投稿しようとする者は、自分の携帯端末で本サーバーにアクセスし、図２に示すようにログインして感情入力画面を表示させ、図５に詳細を示すように、楽観悲観軸と高揚冷静軸の直交座標上の任意の位置（自分の感情を表す位置）にポインティングする。このポインティング入力を受けて本携帯端末上の本アプリは、入力位置に対応する二次元座標値（感情状態ベクトルデータ）を生成する。また投稿者は、コメント欄に任意の短文文字列を入力し、送信ボタンをタップする。
【００３１】
すると本端末上の本アプリは、感情状態ベクトルデータと、タイムスタンプと、本端末の現在位置を示す端末位置データと、利用登録者アカウントを特定する識別情報（個人ＩＤとする）と、投稿ＩＤを対応づけした投稿レコードを生成し、本サーバーに送信する。これを受信した本サーバーは投稿レコードを投稿データベースに記録する。
【００３２】
＝＝＝感情マップの閲覧＝＝＝
利用者は、本アプリをインストールしてある携帯端末で本サーバーにアクセスし、所定の操作により閲覧要求を本サーバーに送信することができる。一実施例としては、閲覧要求を発信する携帯端末の端末位置データが閲覧要求に含まれているものとする。
【００３３】
端末位置データを含んだ閲覧要求を受信した本サーバーは、端末位置データを中心として地理上の所定範囲を表示対象地域として設定し、投稿データベースに集約されている多数の投稿レコードの中から、投稿者の端末位置データが前記表示対象地域に含まれている投稿レコードを抽出するとともに、地図情報システム（図１）と通信して表示対象地域の地図データを取得する。
【００３４】
さらに本サーバーは、図３に示す広域モードの感情マップを端末画面に表示させるための情報を生成し、閲覧要求を発信した携帯端末に送信する。携帯端末に表示される広域モードの感情マップは、表示対象地域の地図上に前記抽出した投稿レコード中の端末位置データをポインティングした投稿印を付加したものである。図３では投稿印を黒い丸印で示しているところ、望ましい実施形態としては、これら投稿印の色を、先に詳しく説明したように、投稿印に対応する投稿レコード中の感情状態ベクトルデータに応じて決定される色で表現する。
【００３５】
広域モードの感情マップを見ている利用者が端末画面をピンチアウト操作するなどしてマップ拡大とスクロールを指示すると、本端末の本アプリは、必要に応じて本サーバーと通信して分散処理を行い、端末画面に図３に示すような拡大モードの感情マップを表示させる処理を実行する。拡大モードの感情マップの画像においては、拡大した地図上の投稿印が前述した顔を模した感情アイコンに変換されている。各感情アイコンの図柄と色は、さきに詳しく説明したように、各アイコンに対応する投稿レコード中の感情状態ベクトルデータに応じて決定される。
【００３６】
拡大モードの感情マップを見ている利用者がさらなる拡大を指示し、感情マップに表示されている感情アイコンの個数が所定数より少なくなると、図３の詳細モードのように、地図上の各感情アイコンに対応する吹き出しが表示され、それぞれに対応する投稿レコード中のコメント文字列が該当の吹き出し中に表示される。なお、特定の操作入力に応じてコメント文字列を表示することもできる。また、表示されている感情アイコンに対応するコメント文字列を一斉に表示するのではなく、感情アイコン群に部分的に適宜な時間をおいてコメント文字列を表示することもできる。
【００３７】
図３の詳細モードの感情マップの表示において、コメント文字列を表示している吹き出しの中にハートマークと数字が表示されている。このハートマークは共感ボタンであり、この表示を見ている人がハートマークにタップすると、このコメント付き投稿レコードに対して共感したという意思表示の入力となる。本アプリはこの共感入力事象を投稿ＩＤを特定して本サーバーに送信する。本サーバーは、共感入力事象を投稿ＩＤ別に計数した投稿別共感数を算出し、投稿別共感数を含んだ感情マップの情報を携帯端末に送信するようにプログラムされている。図３の詳細モードにおいてハートマークのそばに表示されている数字は当該投稿に対する共感数である。このような表示をするように本アプリが記述されている。
【００３８】
＝＝＝個人属性の活用＝＝＝
一実施例においては、利用者は本サーバーに利用登録をしており、各利用者のニックネーム・性別・生年月日がアカウントに記録されているとした。このことを前提とし、利用者が感情マップを閲覧するに際して、表示対象となる投稿レコードを投稿者の性別で絞り込んだり、年齢や年代で絞り込んだり、特定のニックネームの投稿者に絞り込んだりするユーザーインタフェースを設けてもよい。また、データベースに収蔵されている投稿レコードに個人ＩＤがついているので、自分が投稿した投稿レコードのみを対象として感情マップを作成してもらうことができるユーザーインタフェースを設けることができる。
【００３９】
本サーバーに集約された投稿レコードを分析することにより、特定の場所において特定の時間帯で特定の感情（たとえば喜びの感情）が爆発的に発生したという現象を検知することができる。さらには、そうした爆発的現象の起点になったと考えられる投稿レコードを特定することができ、その投稿をした個人ＩＤを特定することができる。たとえば、ある飲食店で売り出した新商品が爆発的な評判になったことを経営者が知り、その起爆者に何らかの特典を付与するなどの活用法がある。
【００４０】
＝＝＝その他の実施形態＝＝＝
（ア）拡大モードや詳細モードにおける感情アイコンの大きさを、該当する感情状態ベクトルデータの絶対値が大きいほど大きくする。
（イ）閲覧希望者があらかじめ表示対象地域を指定し、その指定情報を含む閲覧要求を本サーバーに送信するユーザーインタフェースを設ける。
（ウ）投稿データベースにおいて一定以上の時間が経過した古い投稿レコードは閲覧対象から除くことができる。
（エ）投稿データベースからある地域の投稿レコードを閲覧対象として抽出する際、抽出レコード数が多すぎる場合、古い投稿レコードを除いて一定数以下の投稿レコードのみを閲覧対象とすることができる。
（オ）投稿データベースからある地域の投稿レコードを表示対象とする場合、古い投稿レコードほど薄く表示するなど、視覚的に投稿順を判別できるように表示制御する。
（カ）ある地域の閲覧対象として、盛大に喜んでいる人の投稿のみを絞り込んでデータベースから抽出したり、冷静に不満を抱いている人の投稿のみを絞り込んでデータベースから抽出することができるように、ユーザーインタフェースを設計する。
【００４１】
＝＝＝発明特定事項＝＝＝
以上詳しく説明したように、この出願においては、以下のように特定される各発明を開示している。
《発明１》
つぎの事項（１）〜（９）により特定される方法。
（１）複数の人々がそれぞれ所持して操作する複数の携帯端末と、これら携帯端末と個別に通信するネットワーク上のサーバーとによって実施される分散コンピューティングの方法であること
（２）携帯端末は、利用者入力に応じて、感情入力画面を表示すること
（３）感情入力画面は、感情の楽観・悲観の度合いを表す要素と、感情の高揚・冷静の度合いを表す要素とについて、利用者の感情状態の入力を促す画面であること
（４）携帯端末は、感情入力画面において利用者が感情状態の入力をした際、その入力情報に基づいて、前記２つの要素を含んだ感情状態ベクトルデータを生成すること
（５）携帯端末は、生成した感情状態ベクトルデータと、タイムスタンプと、当該携帯端末の現在位置を示す端末位置データと、投稿ＩＤとを対応づけした投稿レコードを生成し、サーバーに送信すること
（６）サーバーは、携帯端末からの投稿レコードを受信して投稿データベースに集約すること
（７）サーバーは、携帯端末から閲覧要求を受信した際、投稿データベースの投稿レコードに基づいて感情マップを生成して当該携帯端末にて表示するように送信すること
（８）携帯端末に表示される感情マップは、広域モードでは、ある地域の地図上に投稿レコード中の端末位置データをポインティングした投稿印を表示すること
（９）携帯端末に表示される感情マップは、拡大モードでは、地図上の投稿印に対応する投稿レコード中の感情状態ベクトルデータに応じて視覚表現が異なる感情表象を表示すること
【００４２】
《発明２》
つぎの事項（10）により特定される発明１に記載の方法。
（10）携帯端末に表示される感情表象は、感情状態ベクトルデータに応じて色調が変化すること
《発明３》
つぎの事項（11）により特定される発明２に記載の方法。
（11）携帯端末に表示される感情表象は、感情状態ベクトルデータに応じて図柄が変化すること
《発明４》
つぎの事項（12）により特定される発明２に記載の方法。
（12）携帯端末に表示される感情表象は、感情状態ベクトルデータに応じて図柄が変化するとともにその図柄の大きさが変化すること
【００４３】
《発明５》
つぎの事項（13）により特定される発明１に記載の方法。
（13）携帯端末に表示される感情マップは、表示対象地域に該当する投稿レコード集合からタイムスタンプに基づいて選出された最新の所定数の投稿レコードに対応する投稿印を地図上に表示すること
《発明６》
つぎの事項（14）（15）（16）により特定される発明１に記載の方法。
（14）感情入力画面は、利用者の感情状態の入力とともにコメント文字列の入力を促す画面であること
（15）携帯端末は、感情入力画面での利用者入力に基づいて、感情状態ベクトルデータと、コメント文字列と、タイムスタンプと、当該携帯端末の現在位置を示す端末位置データと、投稿ＩＤを対応づけした投稿レコードを生成し、サーバーに送信すること
（16）携帯端末に表示される感情マップは、詳細モードでは、地図上の感情表象に対応づけて、該当する投稿レコード中のコメント文字列を表示すること
【００４４】
《発明７》
つぎの事項（17）（18）（19）により特定される発明６に記載の方法。
（17）携帯端末は、感情表象に付加表示したコメント文字列に共感ボタンを付加表示し、この共感ボタンに対する利用者入力があった際、その共感入力事象を投稿ＩＤを特定してサーバーに通知すること
（18）サーバーは、携帯端末から通知される共感入力事象を投稿ＩＤ別に計数した投稿別共感数を算出し、投稿別共感数を含んだ感情マップの情報を閲覧者の携帯端末に送信すること
（19）携帯端末は、感情マップの詳細モードの表示時に、各投稿レコードごとのコメント文字列に該当する共感数を表示すること
【００４５】
《発明８》
つぎの事項（20）（21）により特定される発明１に記載の方法。
（20）携帯端末は、閲覧要求の利用者入力を受け付ける場面において、感情状態ベクトルデータがとり得る全データ範囲の中の一部のデータ範囲を指定する範囲指定情報を入力可能であり、範囲指定情報が入力された場合にはこれを閲覧要求に含めてサーバーに送信すること
（21）サーバーは、携帯端末からの閲覧要求に範囲指定情報が含まれている場合、投稿データベース中の範囲指定情報に該当する投稿レコードにのみ基づいてと感情マップを生成すること
【００４６】
《発明９》
つぎの事項（22）（23）により特定される発明１に記載の方法。
（22）携帯端末からサーバーに送信される投稿レコードは、投稿者のアカウントを特定する個人ＩＤを含んでおり、個人ＩＤ付き投稿レコードが投稿データベースに集約されていること
（23）サーバーは、個人ＩＤと個人属性情報とを対応づけて集約した登録者データベースを備えていること
【００４７】
《発明１０》
つぎの事項（24）（25）により特定される発明９に記載の方法。
（24）携帯端末は、閲覧要求の利用者入力を受け付ける場面において、個人属性情報による属性絞り込み情報を入力可能であり、属性絞り込み情報が入力された場合にはこれを閲覧要求に含めてサーバーに送信すること
（25）サーバーは、携帯端末からの閲覧要求に属性絞り込み情報が含まれている場合、登録者データベース中の属性絞り込み情報に該当する個人ＩＤの集合を抽出し、それら個人ＩＤに該当する投稿レコードにのみ基づいてと感情マップを生成すること
【００４８】
《発明１１》
つぎの事項（26）（27）により特定される発明９に記載の方法。
（26）携帯端末は、閲覧要求の利用者入力を受け付ける場面において、自分がした投稿のみを対象とする自分指定情報を入力可能であり、自分指定情報が入力された場合にはこれを閲覧要求に含めて個人ＩＤとともにサーバーに送信すること
（27）サーバーは、携帯端末からの閲覧要求に自分指定情報が含まれている場合、投稿データベース中の該当する個人ＩＤの投稿レコードにのみ基づいてと感情マップを生成すること
【００４９】
《発明１２》
つぎの事項（28）により特定される発明９に記載の方法。
（28）サーバーは、投稿データベースの記録に基づいて、特定の地域において特定の時間帯において特定の感情状態ベクトルデータの投稿レコードが集中しているか否かを所定アルゴリズムで分析し、当該集中事象を検出した場合、集中した投稿レコード中のタイムスタンプの古い投稿をした人の個人ＩＤを特定すること
【００５０】
《発明１３》
つぎの事項（29）により特定される発明１に記載の方法。
（29）感情入力画面は、直交する楽観悲観軸と高揚冷静軸の直交座標上に利用者の感情状態をポインティングするように構成された画面であること
【００５１】
《発明１４》
つぎの事項（30）により特定される発明１に記載の方法。
（30）携帯端末に表示される感情表象は、該当する投稿レコード中のタイムスタンプに基づいて、古い投稿の感情表象ほど目立たないように表示されること
【００５２】
以上の発明１〜１４のいずれかに係る分散コンピューティングの方法は、特定アプリをインストールした携帯端末（スマートフォン、タブレット型やノート型のパソコン、ゲーム機など）と、ネットワーク上の特定サイトのサーバーによって実施される方法である。このことを前提として、この発明の射程は、発明１〜１３のいずれかに記載の分散コンピューティングの方法を実施するようにプログラムされたサーバーに及ぶものであり、また、発明１〜１３のいずれかに記載の分散コンピューティングの方法を実施するように携帯端末にインストールされるアプリケーションプログラムにも及ぶものである。
【図１】
2018139026.tif 000003
【図２】
2018139026.tif 000004
【図３】
2018139026.tif 000005
【図４】
2018139026.tif 000006